(57)【要約】【課題】電話回線の接続先が変更されて回線電圧が変化しても、電圧検知によって外付け電話機のフック状態を正しく判定することのできるファクシミリ装置を提供する。【解決手段】ファクシミリ装置１０は、電話回線３に接続されたダイオードブリッジ１４と、外付け電話機４をダイオードブリッジ１４の前段に接続した接続経路１と、ダイオードブリッジ１４の後段に接続した接続経路２とに切り替える切り替えスイッチ１５と、電話回線３から外付け電話機４に加わる電圧を検知するシリコンＤＡＡ１３（電圧検知部２１）と、切り替えスイッチ１５を制御して接続経路１と接続経路２とを切り替えると共に、接続経路１で電圧検知部２１が検知した回線電圧と、接続経路２で電圧検知部２１が検知した回線電圧との比較結果から外付け電話機４がオンフックかオフフックかを判定する切替判定処理を行う制御部１１とを有する。【選択図】図１
2012089970.tif 000002
【特許請求の範囲】
【請求項１】
外付け電話機が接続されるファクシミリ装置において、
電話回線に接続されたダイオードブリッジと、
前記外付け電話機を前記ダイオードブリッジの前段に接続した第１接続状態と、前記ダイオードブリッジの後段に接続した第２接続状態とに切り替える切替部と、
前記電話回線から前記外付け電話機に加わる電圧を検知する電圧検知部と、
前記切替部を制御して前記第１接続状態と前記第２接続状態とを切り替えると共に、前記第１接続状態で前記電圧検知部が検知した第１の電圧と、前記第２接続状態で前記電圧検知部が検知した第２の電圧との比較結果から前記外付け電話機がオンフックかオフフックかを判定する切替判定処理を行う制御部と、
を有する
ことを特徴とするファクシミリ装置。
【請求項２】
前記制御部は、前記切替判定処理の判定結果がオンフックのときは前記電圧検知部が検知する電圧を回線基準電圧としてメモリに記憶し、オフフックのときはオンフックになるのを待ってオンフック時に前記電圧検知部が検知する電圧を回線基準電圧としてメモリに記憶する
ことを特徴とする請求項１に記載のファクシミリ装置。
【請求項３】
前記オンフックになるのを待つ処理では、前記電圧検知部の検知電圧を監視し、上昇変化したときオンフックになったと判定する
ことを特徴とする請求項２に記載のファクシミリ装置。
【請求項４】
前記制御部は、
前記切替部の定常状態を前記第１接続状態に制御し、
当該ファクシミリ装置の電源オン時に前記切替判定処理を行って前記回線基準電圧をメモリに記憶し、
前記回線基準電圧を記憶した後にオンフックかオフフックかを判定する場合は、前記第１接続状態で検知した第１の電圧と前記メモリに記憶されている回線基準電圧とを比較し、その差が所定の許容範囲内にあるときは前記切替判定処理を行わずに前記外付け電話機がオンフックであると判定し、許容範囲内にないときは前記切替判定処理を行う
ことを特徴とする請求項２または３に記載のファクシミリ装置。
【請求項５】
前記制御部は、前記電話回線の接続状態を検知可能であり、
前記電話回線の未接続状態から前記電話回線の接続を検知したときは前記切替判定処理を行う
ことを特徴とする請求項４に記載のファクシミリ装置。
【請求項６】
前記電圧検知部は、前記ダイオードブリッジの後段における回線電圧を検知することで、前記電話回線から前記外付け電話機に加わる電圧を等価的に検知する
ことを特徴とする請求項１乃至５のいずれか１つに記載のファクシミリ装置。
【発明の詳細な説明】
【技術分野】
【０００１】
本発明は、外付け電話機が接続されるファクシミリ装置に関する。
【背景技術】
【０００２】
電話回線をファクシミリ装置と外付け電話機などの他の機器とで共有する場合、ファクシミリ装置と並列に接続されている外付け電話機のフック状態は、交換装置から供給される通信用の直流電源を検出することで判定している。
【０００３】
たとえば、シリコンＤＡＡ(Data Access Arrangement)を用いたファクシミリ装置では、シリコンＤＡＡ（半導体化ＤＡＡ）に内蔵された電圧検知部（電圧検出回路）により、オンフック時（待機時）とオフフック時（回線捕捉時）の回線電圧の変化を検知して判定するようにしている。詳細には、外付け電話機と交換装置との間に直流ループが形成され、外付け電話機に電流が流れるオフフック時は、その直流ループが開放されて外付け電話機に電流が流れないオンフック時に対して、外付け電話機の内部抵抗による電圧降下が発生する。そこで、シリコンＤＡＡで検知した待機時（定常時）の回線電圧をオンフック時の回線電圧とし、このオンフック時の回線電圧から、オフフックを判定するための判定電圧を求めて予め設定値として保存しておき、回線電圧を監視してその設定値の判定電圧を下回った場合は、オフフック状態であると判定するようにしている（特許文献１〜３参照）。
【先行技術文献】
【特許文献】
【０００４】
【特許文献１】特開２００５−０５７６５９号公報
【特許文献２】特開２００６−２７０７４２号公報
【特許文献３】特開２００６−２７０７４３号公報
【発明の概要】
【発明が解決しようとする課題】
【０００５】
一般にファクシミリ装置と電話回線との接続は、ＲＪ−１１タイプなどのモジュラーコネクタを抜き差しすることで、ユーザが容易に接続を変更することができ、ファクシミリ装置の電源がオン状態であるかオフ状態であるかにかかわらず交換装置の接続先を変更することができる。また、電話回線の回線電圧（直流電圧値）は、たとえば公衆回線の場合は４８Ｖｄｃ、構内交換機の場合は２４Ｖｄｃなど、接続される交換装置によって値が異なる。
【０００６】
この回線電圧に応じてオフフック判定電圧が異なるため、回線電圧に応じたオフフック判定電圧の設定値を設定する必要があるが、ユーザが公衆回線から構内交換機へまたはその逆へ接続先を変更すると回線電圧が変化し、上述のシリコンＤＡＡを用いて回線電圧の変化を検知し外付け電話機のフック状態を判定する方法においては、正しく判定できない場合が起こり得る。すなわち、ファクシミリ装置は電話回線の接続先が変更されたか否かを判断できないため、接続先が変更された場合には、その変更前の設定値によるオフフック判定電圧を用いてもフック状態を正しく判定することはできない。以下にその詳細を説明する。
【０００７】
図９および図１０に、従来のファクシミリ装置による外付け電話機のオフフック判定方法を示す。ファクシミリ装置は、電源オン時や待機時に、シリコンＤＡＡの電圧検知部で回線電圧を定期的に検知しながら、待機時（外付け電話機のオンフック）と判断した場合の電圧値をオンフック時の基準電圧（回線基準電圧）として認識し、この基準電圧からオフフック判定電圧を求め、そのオフフック判定電圧の設定値を予め不揮発メモリに記憶する。そして、待機中は回線電圧を監視し、回線電圧が設定値のオフフック判定電圧より低くなった場合をオフフック状態として認識（判定）する。
【０００８】
上述したように、回線電圧（直流電圧値）は、電話回線の接続先が公衆回線の場合は４８Ｖｄｃ、構内交換機の場合は２４Ｖｄｃなど、接続される交換装置によって電圧値が異なる。また、交換装置からファクシミリ装置までの線路分の電圧降下が発生するため、ファクシミリ装置が検知する回線電圧は交換装置の供給電圧（直流電圧源電圧）よりも低下する。また、外付け電話機４の内部抵抗は機種によって異なり（たとえば、５０Ωや３００Ωなど）、オフフック時（直流ループ形成時）の回線電圧はその機種毎の内部抵抗の差異に応じて変化する。このため、ファクシミリ装置側で検知した回線電圧からオフフック判定電圧を一義的に決めることはできない。
【０００９】
そこで従来は、ファクシミリ装置は電源オン時や待機時に回線電圧を定期的に検知しながら、待機時（外付け電話機のオンフック）と判断した場合の電圧値をオンフック時の基準電圧として認識し、この基準電圧から、外付け電話機の内部抵抗に応じた適宜なオフフック判定電圧を求めるようにしている。
【００１０】
図１１の（Ａ）、（Ｂ）に、ファクシミリ装置の待機時に電話回線の接続先が変更された場合の外付け電話機のフック状態の誤判定の例を示し、図１１の（Ｃ）、（Ｄ）に、ファクシミリ装置の電源オフ時に電話回線の接続先が変更された場合の外付け電話機のフック状態の誤判定の例を示す。
【００１１】
たとえば、図１１（Ａ）では、ファクシミリ装置が公衆回線に接続されて回線電圧が４８Ｖｄｃであり、外付け電話機のオフフック判定電圧が２４Ｖｄｃ付近に設定されている。この場合、ファクシミリ装置の待機時に電話回線を外して接続先を構内交換機に変更すると、回線電圧が２４Ｖｄｃに降下する。ここで、外付け電話機がオンフック状態であるが、回線電圧が設定値のオフフック判定電圧を下回ると、ファクシミリ装置は外付け電話機がオフフックであると誤判定してしまうことになる。また、図１１（Ｂ）では、ファクシミリ装置が構内交換機に接続されて回線電圧が２４Ｖｄｃであり、外付け電話機のオフフック判定電圧が回線電圧よりも低い電圧値（たとえば１２Ｖｄｃなど）に設定されている。この場合、ファクシミリ装置の待機時に電話回線を外して接続先を公衆回線に変更すると、回線電圧が４８Ｖｄｃに上昇する。ただし、ここで外付け電話機がオフフック状態となっており、回線電圧が２４Ｖｄｃ付近に維持されると、ファクシミリ装置は外付け電話機がオンフックであると誤判定してしまうことになる。なお、これらの場合は、電話回線の未接続中は、回線電圧が未接続の判定電圧以下となり、未接続であると判定する。
【００１２】
図１１（Ｃ）では、ファクシミリ装置が公衆回線に接続されて回線電圧が４８Ｖｄｃであり、外付け電話機のオフフック判定電圧が２４Ｖｄｃ付近に設定されている。この場合、ファクシミリ装置の電源オフ時に電話回線を外して接続先を構内交換機に変更すると、ファクシミリ装置の電源オン時に回線電圧が２４Ｖｄｃに降下する。ここで、外付け電話機がオンフック状態であるが、回線電圧が設定値のオフフック判定電圧を下回ると、ファクシミリ装置は外付け電話機がオフフックであると誤判定してしまうことになる。また、図１１（Ｄ）では、ファクシミリ装置が構内交換機に接続されて回線電圧が２４Ｖｄｃであり、外付け電話機のオフフック判定電圧が回線電圧よりも低い電圧値（たとえば１２Ｖｄｃなど）に設定されている。この場合、ファクシミリ装置の電源オフ時に電話回線を外して接続先を公衆回線に変更すると、ファクシミリ装置の電源オン時に回線電圧が４８Ｖｄｃに上昇する。ただし、ここで外付け電話機がオフフック状態となっており、回線電圧が２４Ｖｄｃ付近に維持されると、ファクシミリ装置は外付け電話機がオンフックであると誤判定してしまうことになる。なお、これらの場合は、ファクシミリ装置の電源オフ中は自装置が電源オフであることを認識していると共に、回線電圧の検知は行っていない。
【００１３】
また、外付け電話機の使用状況を監視しフック状態を正しく判定する方法としては、図１２に示すように、電話回線と外付け電話機の間に、フォトカプラを用いた電流検知回路を接続して電流を検知することによりフック状態を判定する方法がある。図１３にフォトカプラを用いた電流検知回路の一例を示す。
【００１４】
ファクシミリ装置を電話回線へ接続する場合に要求される技術基準は、電話回線と外付け電話機間の抵抗成分を低く抑えることを要求している。これに対して、フォトカプラを用いた電流検知回路の場合、数十Ω相当の抵抗成分を有するため、要求に沿わず好ましくない。また、電流検知回路は、部品の実装面積の増加とコストアップの要因になる問題がある。
【００１５】
本発明は、上記の問題を解決しようとするものであり、電話回線の接続先が変更されて回線電圧が変化しても、電圧検知によって外付け電話機のフック状態を正しく判定することのできるファクシミリ装置を提供することを目的としている。
【課題を解決するための手段】
【００１６】
かかる目的を達成するための本発明の要旨とするところは、次の各項の発明に存する。
【００１７】
［１］外付け電話機が接続されるファクシミリ装置において、
電話回線に接続されたダイオードブリッジと、
前記外付け電話機を前記ダイオードブリッジの前段に接続した第１接続状態と、前記ダイオードブリッジの後段に接続した第２接続状態とに切り替える切替部と、
前記電話回線から前記外付け電話機に加わる電圧を検知する電圧検知部と、
前記切替部を制御して前記第１接続状態と前記第２接続状態とを切り替えると共に、前記第１接続状態で前記電圧検知部が検知した第１の電圧と、前記第２接続状態で前記電圧検知部が検知した第２の電圧との比較結果から前記外付け電話機がオンフックかオフフックかを判定する切替判定処理を行う制御部と、
を有する
ことを特徴とするファクシミリ装置。
【００１８】
上記発明では、外付け電話機がオフフックの場合、第１接続状態ではダイオードブリッジの前段に接続するので、ダイオードブリッジによる電圧降下は生じない。第２接続状態ではダイオードブリッジの後段に接続するので、ダイオードブリッジのダイオードによる電圧降下が生じる。このため、第１接続状態で検知した第１の電圧と、第２接続状態で検知した第２の電圧にその分の差が生じる。
【００１９】
オンフックの場合、外付け電話機はオープンなので電話回線に電流が流れず、第２接続状態であってもダイオードブリッジのダイオードによる電圧降下は生じない。したがって、第１の電圧と第２の電圧に差が生じない。
【００２０】
これにより、ダイオードブリッジの前段（第１接続状態）に切り替えて検知した第１の電圧と、ダイオードブリッジの後段（第２接続状態）に切り替えて検知した第２の電圧との比較結果から、外付け電話機がオンフックかオフフックかを正しく判定することができる。
【００２１】
また、電話回線に接続されたダイオードブリッジの前段と後段に切り替えるので、この切り替えを行っても、外付け電話機は電話回線に接続した状態が維持される。たとえば、電圧の変化で外付け電話機のフック状態を検出する場合、単に外付け電話機を電話回線から切り離した状態と接続した状態とに切り替えることでも検出可能であるが、この場合は外付け電話機が電話回線から切れてしまい、通話が途切れてしまうことになるが、上記の構成であればそのような通話途切れは発生しない。
【００２２】
［２］前記制御部は、前記切替判定処理の判定結果がオンフックのときは前記電圧検知部が検知する電圧を回線基準電圧としてメモリに記憶し、オフフックのときはオンフックになるのを待ってオンフック時に前記電圧検知部が検知する電圧を回線基準電圧としてメモリに記憶する
ことを特徴とする［１］に記載のファクシミリ装置。
【００２３】
上記発明では、外付け電話機のオンフックを正しく判定し、そのオンフック時に検知した電圧を回線基準電圧としてメモリに記憶することができる。メモリに記憶した回線基準電圧は、外付け電話機のフック状態を判定するための判定電圧（閾値）を求めるのに使用可能である。
【００２４】
［３］前記オンフックになるのを待つ処理では、前記電圧検知部の検知電圧を監視し、上昇変化したときオンフックになったと判定する
ことを特徴とする請求項２に記載のファクシミリ装置。
【００２５】
オンフックでは外付け電話機はオープンなので電話回線に電流が流れず、電圧降下は生じない。オフフックでは外付け電話機（電話回線）に電流が流れ、外付け電話機の内部抵抗による電圧降下が生じる。そのため、オフフックからオンフックになるときには必ず検知電圧が上昇し、上記発明ではその検知電圧が上昇変化したときをオンフックになったと判定する。これにより、第１接続状態と第２接続状態との切り替えを行わなくてもオンフックを判定することができ、その切り替え動作回数が抑えられる。
【００２６】
［４］前記制御部は、
前記切替部の定常状態を前記第１接続状態に制御し、
当該ファクシミリ装置の電源オン時に前記切替判定処理を行って前記回線基準電圧をメモリに記憶し、
前記回線基準電圧を記憶した後にオンフックかオフフックかを判定する場合は、前記第１接続状態で検知した第１の電圧と前記メモリに記憶されている回線基準電圧とを比較し、その差が所定の許容範囲内にあるときは前記切替判定処理を行わずに前記外付け電話機がオンフックであると判定し、許容範囲内にないときは前記切替判定処理を行う
ことを特徴とする［２］または［３］に記載のファクシミリ装置。
【００２７】
ファクシミリ装置が電源オフにされている間に、電話回線の接続先が変更されて回線電圧が変化してしまうことがあり、その電源オフ前にメモリに記憶されていた回線基準電圧は信用できない。そこで上記発明では、ファクシミリ装置の電源オン時には切替判定処理を行って回線基準電圧をメモリに記憶することにより、回線基準電圧を更新する。
【００２８】
また、回線基準電圧を記憶した後に（ファクシミリ装置の待機時に）オンフックかオフフックかを判定する場合は、切替部の定常状態を第１接続状態に制御し、その第１接続状態で検知した第１の電圧と、当該ファクシミリ装置の電源オン時に切替判定処理を行ってメモリに記憶した回線基準電圧とを比較する。その差が所定の許容範囲内にあるときは、切替判定処理を行わずに外付け電話機がオンフックであると判定する。この場合は、切替部を定常状態である第１接続状態に維持するので、第２接続状態に切り替えなくて済む。また、上記の差が所定の許容範囲内にないときは切替判定処理を行うことで、このときがオンフックかオフフックかを正しく判定することができる。
【００２９】
［５］前記制御部は、前記電話回線の接続状態を検知可能であり、
前記電話回線の未接続状態から前記電話回線の接続を検知したときは前記切替判定処理を行う
ことを特徴とする［４］に記載のファクシミリ装置。
【００３０】
ファクシミリ装置が初めて電話回線に接続されたときは、それ以前に切替判定処理を行っていないので、回線基準電圧がメモリに記憶されていない。また、切替判定処理を行って回線基準電圧をメモリに記憶した状態にて、電話回線の接続が解除され、その未接続状態から電話回線が再接続されたときには、電話回線の接続先が変更されて回線電圧が変化している可能性があり、その再接続前にメモリに記憶されていた回線基準電圧は信用できない。そこで上記発明では、電話回線の未接続状態から電話回線の接続を検知したときには切替判定処理を行って回線基準電圧をメモリに記憶する。電話回線への接続後は、この切替判定処理を行ってメモリに記憶した回線基準電圧を用いて、外付け電話機のフック状態を正しく判定することができる。
【００３１】
［６］前記電圧検知部は、前記ダイオードブリッジの後段における回線電圧を検知することで、前記電話回線から前記外付け電話機に加わる電圧を等価的に検知する
ことを特徴とする［１］乃至［５］のいずれか１つに記載のファクシミリ装置。
【００３２】
上記発明では、外付け電話機がオンフックの場合は電流が流れないので、ダイオードブリッジの前段の電圧（電話回線から外付け電話機に加わる電圧）をダイオードブリッジの後段の回線電圧によって等価的に検知することができる。
【００３３】
また、第１接続状態で外付け電話機がオフフックの場合、ダイオードブリッジの前段に接続された外付け電話機を通じて電話回線に電流が流れるが（直流ループ形成）、ダイオードブリッジには電流が流れないので、ダイオードによる電圧降下は生じない。したがって、ダイオードブリッジの後段における回線電圧の検知は、ダイオードブリッジの前段の電圧を検知しているのと同じ状態になり、このダイオードブリッジの後段における回線電圧の検知によって、ダイオードブリッジの前段の電圧（電話回線から外付け電話機に加わる電圧）を等価的に検知することができる。
【発明の効果】
【００３４】
本発明に係るファクシミリ装置によれば、電話回線の接続先が変更されて回線電圧が変化しても、電圧検知によって外付け電話機のフック状態を正しく判定することができる。
【図面の簡単な説明】
【００３５】
【図１】本発明の実施の形態に係るファクシミリ装置の概略構成を示すブロック図である。
【図２】ファクシミリ装置による外付け電話機のオフフック判定動作を説明する図である。
【図３】ファクシミリ装置による外付け電話機のオフフック判定動作を説明する図である。
【図４】ファクシミリ装置による外付け電話機のオンフック判定動作を説明する図である。
【図５】ファクシミリ装置による外付け電話機のオンフック判定動作を説明する図である。
【図６】ファクシミリ装置の制御部が行う制御を示す流れ図である。
【図７】図６のＳ１０３における外付け電話機オフフック判定処理のサブルーチン示す流れ図である。
【図８】ファクシミリ装置における電圧検知で外付け電話機のフック状態を正しく判定する例を説明する図である。
【図９】従来のファクシミリ装置による外付け電話機のオフフック判定方法を説明する図である。
【図１０】従来のファクシミリ装置による外付け電話機のオフフック判定方法を説明する図である。
【図１１】従来のファクシミリ装置における電圧検知で外付け電話機のフック状態を誤判定する例を説明する図である。
【図１２】従来のファクシミリ装置の概略構成を示すブロック図である。
【図１３】従来のフォトカプラを用いた電流検知回路の一例を示す回路図である。
【発明を実施するための形態】
【００３６】
以下、図面に基づき本発明の実施の形態を説明する。
【００３７】
図１は、本発明の実施の形態に係るファクシミリ装置１０の概略構成を示している。ファクシミリ装置１０は、制御部１１と、モデム１２と、シリコンＤＡＡ(Data Access Arrangement)１３と、ダイオードブリッジ１４と、切り替えスイッチ１５と、切り離しスイッチ１６と、電話回線接続用コネクタ１７と、外付け電話機接続用コネクタ１８などを備えて構成される。
【００３８】
制御部１１は、ファクシミリ装置１０の動作を統括制御する回路であり、図示省略のＣＰＵ（Central Processing Unit）とＲＯＭ（Read Only Memory）とＲＡＭ（Random Access Memory）と不揮発メモリとを主要部として構成される。図示省略してあるが、制御部１１には、原稿画像を読み取る読取部、記録紙上に画像データに対応する画像を形成して出力するプリンタ部、ユーザに各種の案内情報や装置の動作状態を表示したり、ユーザから各種の入力操作を受け付けたりする操作表示部などが接続されている。
【００３９】
電話回線接続用コネクタ１７と外付け電話機接続用コネクタ１８は、ＲＪ−１１タイプのモジュラーコネクタで構成されている。
【００４０】
電話回線接続用コネクタ１７は、ダイオードブリッジ１４を介してシリコンＤＡＡ１３の回線側入出力に接続されている。シリコンＤＡＡ１３のシステム側入出力にはモデム１２が接続されている。ダイオードブリッジ１４の前段には、切り替えスイッチ１５における切替側の一方の接点ａが接続されており、ダイオードブリッジ１４の後段には、切り替えスイッチ１５における切替側の他方の接点ｂが接続されている。切り替えスイッチ１５の端子ｃには切り離しスイッチ１６を介して外付け電話機接続用コネクタ１８が接続されている。
【００４１】
また、電話回線接続用コネクタ１７（ＬＩＮＥ）には電話回線３を介して公衆回線または構内交換機などが接続されており、外付け電話機接続用コネクタ１８（ＴＥＬ）には外付け電話機４が接続されている。
【００４２】
ダイオードブリッジ１４は、４つのダイオード２０によって電話回線３からの直流ループ電流を整流する機能を果たす。シリコンＤＡＡ１３は、直流の電圧検知部２１や図示省略の呼出信号検知部などを備え、呼出信号の検知、回線電圧の検知などの機能を果たす。シリコンＤＡＡ１３の電圧検知部２１は直流対応なので、電話回線３による交流入力を直流入力に変換する整流回路（ダイオードブリッジ）が必要となるが、ここではシリコンＤＡＡ１３をダイオードブリッジ１４の後段側に接続することで、別途の整流回路が不要な構成としている。またこれにより、シリコンＤＡＡ１３に内蔵されている直流の電圧検知部２１を流用した構成となっている。
【００４３】
切り替えスイッチ１５は、外付け電話機４の接続先をダイオードブリッジ１４の前段側（接点ａ側）と後段側（接点ｂ側）とに切り替える機能を果たす。ここでは、外付け電話機４がダイオードブリッジ１４の前段側に接続される経路を接続経路１とし、後段側に接続される経路を接続経路２としている。切り離しスイッチ１６は、切り替えスイッチ１５の接点ａ側（ダイオードブリッジ１５の前段側）と外付け電話機接続用コネクタ１８とを結ぶ２線のうちの一方のラインに直列に介挿されており、外付け電話機４と電話回線３との接続と切り離しを行う。
【００４４】
待機時は、切り替えスイッチ１５および切り離しスイッチ１６の各コイルは非通電の状態（定常状態）にあり、該非通電の状態で電話回線３と外付け電話機４とが、切り替えスイッチ１５および切り離しスイッチ１６を介して接続されるようになっている。ファクシミリ通信時は、切り離しスイッチ１６のコイルは通電の状態にされ、該通電の状態で電話回線３と外付け電話機４とが接続解除されるようになっている。また切り替えスイッチ１５は、非通電の状態では外付け電話機４の接続先をダイオードブリッジ１４の前段側（接点ａ側／接続経路１側）に切り替え、通電の状態では外付け電話機４の接続先をダイオードブリッジ１４の後段側（接点ｂ側／接続経路２側）に切り替えるようになっている。
【００４５】
シリコンＤＡＡ１３の電圧検知部２１は、切り替えスイッチ１５による上記の切り替えで、外付け電話機４がダイオードブリッジ１４の前段に接続されたときの電圧（接続経路１の回線電圧）と、ダイオードブリッジ１４の後段に接続されたときの電圧（接続経路２の回線電圧）をそれぞれ検知するようになっている。
【００４６】
また、制御部１１は、シリコンＤＡＡ１３の電圧検知部２１による接続経路１（定常状態）の検知電圧を監視し、所定の判定電圧（未接続の判定電圧）未満の場合は電話回線３が未接続であると判定し、所定の判定電圧以上の場合は電話回線３が接続されていると判定するようになっている。
【００４７】
次に、ファクシミリ装置１０の動作について説明する。
【００４８】
図２は、外付け電話機４のオフフック判定動作を説明する図である。外付け電話機４がオフフック（off-hook）の場合、外付け電話機４と交換装置との間に直流ループが形成され、電話回線３および外付け電話機４に電流が流れる。切り替えスイッチ１５が定常状態のときに構成される接続経路１では、外付け電話機４がダイオードブリッジ１４の前段に接続され、図２の上側に示す「接続経路１のときの等価回路」が構成される。シリコンＤＡＡ１３の電圧検知部２１で回線電圧を検知すると、外付け電話機４の内部抵抗に応じた電圧値（Ｖ１）が検知される。この場合は、ダイオードブリッジ１４による電圧降下は生じない。
【００４９】
切り替えスイッチ１５を定常状態から切り替えたときに構成される接続経路２では、外付け電話機４がダイオードブリッジ１４の後段に接続され、図２の下側に示す「接続経路２のときの等価回路」が構成される。シリコンＤＡＡ１３の電圧検知部２１で回線電圧を検知すると、ダイオードブリッジ１４のダイオード２０による電圧降下が生じ、上記の電圧値（Ｖ１）からそのダイオード２０による降下電圧分を差し引いた電圧値（Ｖ２）が検知される。
【００５０】
このように、外付け電話機４がオフフックの場合は、接続経路１で検知した電圧値と、接続経路２で検知した電圧値にダイオードブリッジ１４のダイオード２０による降下電圧分の差が生じる。この電圧差が規定範囲以上あれば、外付け電話機４がオフフック状態であると判定する。
【００５１】
上記の電圧差の規定範囲は、ダイオードブリッジ１４におけるダイオード２０の電圧降下量に基づいて決定し、その設定値を予め不揮発メモリに記憶しておく。たとえば、０．８Ｖなどにしてもよい。
【００５２】
これにより、図３に示すように、たとえばファクシミリ装置１０の電源オン時に外付け電話機４がオフフック状態である場合、外付け電話機４がオンフックかオフフックかは、切り替えスイッチ１５を接続経路２側に切り替えてみて電圧降下を検知すれば、オフフック状態であると判定できる。また、切り替えスイッチ１５を接続経路１側に切り替えて回線電圧を監視し、上昇変化したときオフフック状態からオンフック状態になったと判定できる。
【００５３】
図４は、外付け電話機４のオンフック判定動作を説明する図である。外付け電話機４がオンフック（on-hook）の場合、外付け電話機４はオープンなので電話回線３に電流は流れず、接続経路２であってもダイオードブリッジ１４のダイオード２０による電圧降下は生じない。したがって、切り替えスイッチ１５を切り替えて、接続経路１（図４の上側に示す「接続経路１のときの等価回路」）で検知した電圧値と、接続経路２（図４の下側に示す「接続経路２のときの等価回路」）で検知した電圧値に差が生じない。誤差などによって電圧差が生じたとしても、この電圧差が規定範囲内であれば、外付け電話機４がオンフック状態であると判定する。
【００５４】
これにより、図５に示すように、たとえばファクシミリ装置１０の待機時に電話回線３が公衆回線から構内交換機に繋ぎ換えられて、供給電圧（直流電圧源電圧）が４８Ｖｄｃから２４Ｖｄｃに低下した場合、外付け電話機４がオンフックかオフフックかは、切り替えスイッチ１５を接続経路２側に切り替えてみて電圧降下を検知しなければ、オンフック状態であると判定できる。
【００５５】
図６および図７は、ファクシミリ装置１０の制御部１１が行う制御の流れを示している。制御部１１は、本制御を定期的に繰り返し行う。たとえば、２ｍｓや１０ｍｓなどの所定の時間間隔で繰り返し行う。
【００５６】
制御部１１は、ファクシミリ装置１０の電源がオンにされた直後、電源オン後の初期化処理中、もしくは、電話回線３の未接続から接続への変化を検知したときは（ステップＳ１０１；Ｙｅｓ）、外付け電話機オフフック判定処理をサブルーチンで行う（ステップＳ１０３）。
【００５７】
図７に示す外付け電話機オフフック判定処理では、制御部１１は、切り替えスイッチ１５を非通電の状態にして接続経路１に設定し（ステップＳ２０１）、シリコンＤＡＡ１３の電圧検知部２１により、回線電圧を検知する（ステップＳ２０２）。続いて、切り替えスイッチ１５を通電の状態にして接続経路２に設定し（ステップＳ２０３）、シリコンＤＡＡ１３の電圧検知部２１により、回線電圧を検知する（ステップＳ２０４）。
【００５８】
接続経路１における回線電圧と、接続経路２における回線電圧とを比較し、電圧差が規定範囲内か否かを判断する（ステップＳ２０５）。
【００５９】
電圧差が規定範囲内である場合には（ステップＳ２０５；Ｙｅｓ）、制御部１１は、切り替えスイッチ１５を非通電の状態に戻して接続経路１に設定し（ステップＳ２０６）、外付け電話機４がオンフックであると判定する（ステップＳ２０７、Ｒｅｔｕｒｎ）。電圧差が規定範囲内でない場合には（ステップＳ２０５；Ｎｏ）、制御部１１は、切り替えスイッチ１５を非通電の状態に戻して接続経路１に設定し（ステップＳ２０８）、外付け電話機４がオフフックであると判定する（ステップＳ２０９、Ｒｅｔｕｒｎ）。
【００６０】
図６に戻り、ステップＳ１０３のオフフック判定処理で、外付け電話機４がオンフックであると判定した場合には（ステップＳ１０４；Ｎｏ）、ステップＳ１０６へ移行する。外付け電話機４がオフフックであると判定した場合には（ステップＳ１０４；Ｙｅｓ）、制御部１１は、シリコンＤＡＡ１３の電圧検知部２１により回線電圧を検知し、回線電圧に変化があるか否かを監視する（ステップＳ１０５；Ｎｏ）。回線電圧に変化があることを検知すると（ステップＳ１０５；Ｙｅｓ）、ステップＳ１０６へ移行する。この変化は、外付け電話機４がオンフックにされることによる回線電圧の上昇変化である。
【００６１】
続いて制御部１１は、回線電圧がオンフック判定の電圧範囲内か否かを判断する（ステップＳ１０６）。このオンフック判定の電圧範囲は、予め設定された値（たとえば、２〜３Ｖなど）でもよいし、回線電圧の実測値から決定する（たとえば、回線電圧の実測値の±５〜２０％などにする）ようにしてもよい。
【００６２】
回線電圧の実測値を用いるときは、ステップＳ１０４からステップＳ１０６へ移行した場合には、ステップＳ１０３のオフフック判定処理で検知した回線電圧を用いてオンフック判定の電圧範囲を決定する。この場合は、外付け電話機４がオンフックで、接続経路１と接続経路２で回線電圧が基本的には同じであるので、いずれの回線電圧を用いてもよい。ステップＳ１０５からステップＳ１０６へ移行した場合には、変化後の回線電圧（接続経路１におけるオンフック時の回線電圧）を用いてオンフック判定の電圧範囲を決定する。
【００６３】
なお、上述のステップＳ１０３によるオフフック判定処理（図７参照）やステップＳ１０５による回線電圧の変化検知によって、外付け電話機４がオンフックであることを確認して回線電圧を検知（測定）しているので、この基準は正確である。したがって、オンフック判定の電圧範囲は上記例のように比較的狭い範囲に設定することも可能であり、またその範囲を狭くするので、この範囲内は確実にオンフックと判定できる。よって、オフフック判定処理（切り替えスイッチ１５の切り替えおよび回線電圧の検知による外付け電話機４のフック状態の判定）を省略する。一方、上記の範囲外はオンフックかオフフックかがはっきりしないので、オフフック判定処理を行う。
【００６４】
換言すると、オンフック判定の電圧範囲は、確実な電圧範囲を設定する必要があるが、オフフック状態と確実に分かっているときの回線電圧を測定しているので、確実な範囲を設定することができる。
【００６５】
回線電圧がオンフック判定の電圧範囲内である場合には（ステップＳ１０６；Ｙｅｓ）、制御部１１は回線電圧の変化はないと判断し、本処理を終了する。回線電圧がオンフック判定の電圧範囲外である場合には（ステップＳ１０６；Ｎｏ）、制御部１１は回線電圧の変化があると判断し、不揮発メモリに保存されている、オンフック時の回線電圧（基準電圧）の設定値を修正し（ステップＳ１０７）、本処理を終了する。
【００６６】
なお、ファクシミリ装置１０の最初の電源オン時や最初の電話回線接続時の処理では、オンフック時の回線電圧の設定値は不揮発メモリに保存されておらず、このときは、ステップＳ１０６からステップＳ１０７へ移行し、検知した回線電圧をオンフック時の回線電圧の設定値として不揮発メモリに保存することになる。
【００６７】
また制御部１１は、ファクシミリ装置１０の待機時（ファクシミリ通信中でないとき）は（ステップＳ１０１；Ｎｏ）、切り替えスイッチ１５を非通電の状態にして接続経路１に設定し、シリコンＤＡＡ１３の電圧検知部２１により回線電圧を検知し、回線電圧がオンフック判定の電圧範囲内か否かを判断する（ステップＳ１０２）。
【００６８】
回線電圧がオンフック判定の電圧範囲内である場合には（ステップＳ１０２；Ｙｅｓ）、外付け電話機４がオンフックであると判定し（ステップＳ１０８）、本処理を終了する。
【００６９】
回線電圧がオンフック判定の電圧範囲外である場合には（ステップＳ１０２；Ｎｏ）、ステップＳ１０３へ移行し、前述した外付け電話機オフフック判定処理を行う（図７参照）。この検知した回線電圧がオンフック判定の電圧範囲外である場合は、外付け電話機４がオンフックでない可能性があるが、外付け電話機オフフック判定処理により切り替えスイッチ１５を切り替えて回線電圧を検知するだけで、簡単かつ確実にオンフックかオフフックかが分かる。
【００７０】
図８の（Ａ）、（Ｂ）に、ファクシミリ装置１０の待機時に電話回線３の接続先が変更された場合の外付け電話機４のフック状態の判定例を示し、図８の（Ｃ）、（Ｄ）に、ファクシミリ装置１０の電源オフ時に電話回線３の接続先が変更された場合の外付け電話機４のフック状態の判定例を示す。
【００７１】
たとえば、図８（Ａ）に示すように、ファクシミリ装置１０は公衆回線に接続されて回線電圧が４８Ｖｄｃであり、待機時に接続先が構内交換機に変更されて回線電圧が２４Ｖｄｃに降下したとする。この場合は、電話回線の接続時に切り替えスイッチ１５を切り替えて回線電圧の電圧降下を検知しなければ、外付け電話機４がオンフックであると判定し、オンフック時の回線電圧の設定値を変更する。
【００７２】
また、図８（Ｂ）に示すように、ファクシミリ装置１０は構内交換機に接続されて回線電圧が２４Ｖｄｃであり、待機時に接続先が公衆回線に変更されて回線電圧が４８Ｖｄｃに上昇するところ、外付け電話機４がオフフック状態で回線電圧が２４Ｖｄｃ付近に維持されたとする。この場合は、電話回線の接続時に切り替えスイッチ１５を切り替えて回線電圧の電圧降下を検知すれば、外付け電話機４がオフフックであると判定する。その後、回線電圧の上昇変化を検知したときオンフックと判定し、オンフック時の回線電圧の設定値を変更する。
【００７３】
なお、図８（Ａ）、（Ｂ）の場合は、電話回線の未接続中は、回線電圧が未接続の判定電圧以下となり、未接続であると判定する。電話回線が未接続となった場合は、再接続されたときに電話回線が繋ぎ換えられた可能性がある（可能性が高い）ので、電話回線の接続時に、上記の切り替えスイッチ１５の切り替えおよび回線電圧の検知による外付け電話機４のフック状態の判定（切替判定処理）を行う。
【００７４】
図８（Ｃ）に示すように、ファクシミリ装置１０は公衆回線に接続されて回線電圧が４８Ｖｄｃであり、電源オフ時に接続先が構内交換機に変更され、電源オン時に回線電圧が２４Ｖｄｃに降下したとする。この場合は、電源オン時に切り替えスイッチ１５を切り替えて回線電圧の電圧降下を検知しなければ、外付け電話機４がオンフックであると判定し、オンフック時の回線電圧の設定値を変更する。
【００７５】
また、図８（Ｄ）に示すように、ファクシミリ装置１０は構内交換機に接続されて回線電圧が２４Ｖｄｃであり、電源オフ時に接続先が公衆回線に変更され、電源オン時に回線電圧が４８Ｖｄｃに上昇するところ、外付け電話機４がオフフック状態で回線電圧が２４Ｖｄｃ付近に維持されたとする。この場合は、電源オン時に切り替えスイッチ１５を切り替えて回線電圧の電圧降下を検知すれば、外付け電話機４がオフフックであると判定する。その後、回線電圧の上昇変化を検知したときオンフックと判定し、オンフック時の回線電圧の設定値を変更する。
【００７６】
なお、図８（Ｃ）、（Ｄ）の場合は、ファクシミリ装置１０の電源オフ中は自装置が電源オフであることを認識していると共に、回線電圧の検知は行っていない。ファクシミリ装置１０の電源オン時は、電源オフ中に電話回線が繋ぎ換えられた可能性もあるので、上記の切り替えスイッチ１５の切り替えおよび回線電圧の検知による外付け電話機４のフック状態の判定（切替判定処理）を行う。
【００７７】
このように、本実施の形態に係るファクシミリ装置１０では、ダイオードブリッジ１４の前段（接続経路１）に切り替えて検知した回線電圧と、ダイオードブリッジ１４の後段（接続経路２）に切り替えて検知した回線電圧との比較結果から、外付け電話機４がオンフックかオフフックかを正しく判定することができる。また、ダイオードブリッジ１４の前段と後段に切り替えるので、この切り替えを行っても、外付け電話機４は電話回線３に接続した状態が維持される。たとえば、電圧の変化で外付け電話機４のフック状態を検出する場合、単に外付け電話機４を電話回線３から切り離した状態と接続した状態とに切り替えることでも検出可能であるが、この場合は外付け電話機４が電話回線３から切れてしまい、通話が途切れてしまうことになるが、そのような通話途切れが発生することもない。
【００７８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７９】
たとえば、回線電圧の検知はシリコンＤＡＡ１３に内蔵されている電圧検知部２１を用いて行うようにしているが、別途の電圧検知部を設けて回線電圧を検知するようにしてもよい。また、ダイオードブリッジ１４の後段における回線電圧を検知することで、電話回線３から外付け電話機４に加わる電圧を等価的に検知するようにしているが、切り替えスイッチ１５の後段における回線電圧を検知することで、電話回線３から外付け電話機４に加わる電圧を直接的に検知するようにしてもよい。この電圧を直流の電圧検知部で検知する場合には、電圧検知部との間に整流回路を設けることでその検知が可能となる。
【００８０】
図６に示した処理では、外付け電話機オフフック判定処理（ステップＳ１０３）は、ファクシミリ装置１０の電源オン時（初期化処理中を含む）に必ず行うようにしているが、ファクシミリ装置１０の待機時も必ず行うようにしてもよい。
【００８１】
また、外付け電話機４のオンフックの電圧は、接続経路１（第１接続状態）と接続経路２（第２接続状態）のいずれで検知したものでもよい。また、切り替えスイッチ１５（切替部）は、接続経路２（第２接続状態）を定常状態としてもよい。ただし、ダイオードブリッジ１４の後段に接続した接続経路２（第２接続状態）では電圧降下が生じるので、実施の形態で説明したように、切り替えスイッチ１５は接続経路１（第１接続状態）を定常状態とすることが好ましい。
【００８２】
このほか実施の形態では、ファクシミリ装置を例に説明したが、電話回線を通じてデータや音声を受信する機能を備えた他の種類の受信装置にも本発明を適用することができる。
【符号の説明】
【００８３】
３…電話回線
４…外付け電話機
１０…ファクシミリ装置
１１…制御部
１２…モデム
１３…シリコンＤＡＡ
１４…ダイオードブリッジ
１５…切り替えスイッチ
１６…切り離しスイッチ
１７…電話回線接続用コネクタ
１８…外付け電話機接続用コネクタ
２０…ダイオード
２１…電圧検知部
ａ…接点
ｂ…接点
ｃ…端子
【図１】
2012089970.tif 000003
【図２】
2012089970.tif 000004
【図３】
2012089970.tif 000005
【図４】
2012089970.tif 000006
【図５】
2012089970.tif 000007
【図６】
2012089970.tif 000008
【図７】
2012089970.tif 000009
【図８】
2012089970.tif 000010
【図９】
2012089970.tif 000011
【図１０】
2012089970.tif 000012
【図１１】
2012089970.tif 000013
【図１２】
2012089970.tif 000014
【図１３】
2012089970.tif 000015